(57)【要約】【課題】本発明は、飲料を流通・販売する際に、ペットボトル等を複数個連結して保持し、容易に持ち運べるようにした、ボトルホルダーを提供することを目的とする。【解決手段】一枚のブランク板を順次折り曲げ、天面パネル、両側面パネル、および底面パネルで形成される両端が開口する正四角形柱状のボトルホルダーであって、前記底面パネルの離間する所定の位置に、ボトルキャップ下部にフランジ部を有するボトルのネック部を保持し得る、複数個のボトルを連結可能なボトルネック保持手段が形成されていることを特徴とするボトルホルダーである。【選択図】図１
2008030820.tif 000002
【特許請求の範囲】
【請求項１】
一枚のブランク板を順次折り曲げ、天面パネル、両側面パネル、および底面パネルで形成される両端が開口する正四角形柱状のボトルホルダーであって、
前記底面パネルの離間する所定の位置に、ボトルキャップ下部にフランジ部を有するボトルのネック部を保持し得る、複数個のボトルを連結可能なボトルネック保持手段が形成されていることを特徴とするボトルホルダー。
【請求項２】
前記ボトルネック保持手段が、前記両端が開口する正四角形柱状のボトルホルダーの底面パネルの離間する所定の位置に、前記ボトルのキャップおよびフランジ部を挿通可能な受持孔を有し、その受持孔の周縁部には放射状の切り込み線が設けられて起立可能な複数個の舌片が連設されてなる一対の対向する係止片が折り曲げ線を介して設けられており、前記ボトルネック部が挿通された後、前記一対の係止片がボトルのフランジ部の下部に起立して当接し、一方、ボトルキャップ頂部が前記ボトルホルダーの天面パネルに略当接するように係止することでボトルが抜け止めされて保持されることを特徴とする請求項１記載のボトルホルダー。
【請求項３】
前記ボトルネック保持手段が、前記両端が開口する正四角形柱状のボトルホルダーの底面パネルの離間する所定の位置に、前記ボトルのキャップおよびフランジ部を挿通可能な受持孔を有し、その受持孔の周縁部には起立可能な一対の係止片が折り曲げ線を介して設けられており、前記ボトルネック部が挿通された後、前記一対の係止片がボトルのフランジ部の下部に起立して当接し、一方、ボトルキャップ頂部がボトルホルダーの天面パネルに略当接するように係止することでボトルが抜け止めされて保持されることを特徴とする請求項１記載のボトルホルダー。
【発明の詳細な説明】
【技術分野】
【０００１】
本発明は、飲料を流通・販売する際に、ペットボトル等を複数個連結して保持し、容易に持ち運べるようにしたボトルホルダーに関する。
【背景技術】
【０００２】
従来、飲料を流通・販売する際に、ペットボトル等の容器を複数個連結して保持し、容易に持ち運べるようにしたボトルホルダーが既に知られている。また、複数のペットボトル等の容器を連結してキャップを覆い、ボトルの内容物の商品名や製造メーカー名、その他所要の表示を行い、外部から商品の識別のできるボトルネックラベルが既に知られている。
【０００３】
上記のボトルホルダーとして、従来、例えば、図８で示すボトルホルダーが特許文献１で提案されている。このボトルホルダー（７０）は、同図で示すように、ボトルホルダー（７０）の側壁パネル（７２、７２′）高さが低い（幅が狭い）ために、ボトル（７７、７７′）の重量に対抗してボトル（７７、７７′）を支持しきれず、持ち運ぶ際にボトルホルダー（７０）の側壁パネル（７２、７２′）が折り曲がってしまうという問題があった。
【０００４】
また、上記のボトルネックラベルとして、従来、例えば、図９で示すボトルネックラベルが特許文献２で提案されている。このボトルネックラベル（８０）を利用して、ボトル（８５）を持ち運ぼうとすると、ボトル（８５）の頂部（８６）（ボトルネックラベルの天面部）とボトルネック部（８５Ａ）の周面に当接して嵌合する各舌片（８４）の上端とが離れているために、前記各舌片（８４）がボトル（８５）の重量に対抗しきれず折り曲がって、ボトル（８５）が抜け落ちてしまうという問題があった。
【特許文献１】特開昭４８−３７２９４号公報
【特許文献２】実開平３−１７０６３号公報
【発明の開示】
【発明が解決しようとする課題】
【０００５】
本発明は、上記の問題点を解決するためになされたものであって、飲料を流通・販売する際に、ペットボトル等を複数個連結して保持し、容易に持ち運べるようにした、ボトルホルダーを提供することを目的とする。
【課題を解決するための手段】
【０００６】
上記の目的を達成する解決手段として、すなわち、
請求項１に係る発明は、
一枚のブランク板を順次折り曲げ、天面パネル、両側面パネル、および底面パネルで形成される両端が開口する正四角形柱状のボトルホルダーであって、
前記底面パネルの離間する所定の位置に、ボトルキャップ下部にフランジ部を有するボトルのネック部を保持し得る、複数個のボトルを連結可能なボトルネック保持手段が形成されていることを特徴とするボトルホルダーである。
【０００７】
請求項２に係る発明は、
前記ボトルネック保持手段が、前記両端が開口する正四角形柱状のボトルホルダーの底面パネルの離間する所定の位置に、前記ボトルのキャップおよびフランジ部を挿通可能な受持孔を有し、その受持孔の周縁部には放射状の切り込み線が設けられて起立可能な複数個の舌片が連設されてなる一対の対向する係止片が折り曲げ線を介して設けられており、
前記ボトルネック部が挿通された後、前記一対の係止片がボトルのフランジ部の下部に起立して当接し、一方、ボトルキャップ頂部が前記ボトルホルダーの天面パネルに略当接するように係止することでボトルが抜け止めされて保持されることを特徴とする請求項１記載のボトルホルダーである。
【０００８】
請求項３に係る発明は、
前記ボトルネック保持手段が、前記両端が開口する正四角形柱状のボトルホルダーの底面パネルの離間する所定の位置に、前記ボトルのキャップおよびフランジ部を挿通可能な受持孔を有し、その受持孔の周縁部には起立可能な一対の係止片が折り曲げ線を介して設けられており、前記ボトルネック部が挿通された後、前記一対の係止片がボトルのフランジ部の下部に起立して当接し、一方、ボトルキャップ頂部がボトルホルダーの天面パネルに略当接するように係止することでボトルが抜け止めされて保持されることを特徴とする請求項１記載のボトルホルダーである。
【発明の効果】
【０００９】
本発明により、ボトルホルダーの形状を両端が開口する正四角形柱状としたことで、ボトルホルダーの底面パネルにボトルを挿通して装着しホルダーとともにボトルを持ち上げ持ち運ぶ際に、左右側面パネルは湾曲される応力が作用しても常に起立状態を維持し折れ曲がらず、また、ボトルのネック部を係止する一対の係止片がボトルのフランジ部の下部に起立して当接し、さらに、ボトル（キャップ）の頂部が天面パネルに略当接する構造であるから、ペットボトル等を複数個連結して保持し、ボトルが抜け落ちることのない、ボトルホルダーを提供できる。
【００１０】
本発明のボトルホルダーは、ボトルの挿通、装着および取り出し作業が容易である。また、天面パネルはボルトネック部と同じ高さであるため全体として嵩高くならず、かつ、平面視におけるボトルの本体部の外縁内部に位置づけされるため、ホルダーに商品たるボトルを保持したまま、多数のボトルをコンパクトに梱包することができる。
【００１１】
また、本発明のボトルホルダーは、天面パネル、両側面パネル、および底面パネルから構成される一枚のブランク板を順次折り曲げ、底面パネルに延設されてなる接着片を側面パネルの内面に差し込んで貼り合わせて、持ち運ぶに十分な強度が確保できる簡単な構造であるから、段ボール原紙等のような紙基材を用いる必要がなく、量産性に優れ、コスト削減を図ることができる。
【発明を実施するための最良の形態】
【００１２】
以下、本発明の一実施形態について図面を参照して説明する。図１は、本発明のボトルホルダーの展開状態のブランク板の一例を示す平面図である。図２は、本発明のボトルホルダーの展開状態のブランク板の他の例を示す平面図である。図３は、本発明のボトルホルダーの一例を示す斜視図（側面パネルの一部を切り欠いてある）である。図４は、本発明のボトルホルダーの他の例を示す斜視図（側面パネルの一部を切り欠いてある）である。図５は、本発明のボトルホルダーにボトルを装着した状態の一例を示す外観斜視図である。図６は、本発明の一例としてのボトルホルダーにボトルを装着し保持状態を示す側面図である。図７は、本発明の他の例としてのボトルホルダーにボトルを装着し保持状態を示す側面図である。
【００１３】
本発明のボトルホルダーは、一枚のブランク板を順次折り曲げ、天面パネル、両側面パネル、および底面パネルで形成される両端が開口する正四角形柱状のボトルホルダーの底面パネルの離間する所定の位置に、ボトルキャップ下部にフランジ部を有するボトルのネック部を保持し得る、複数個（例えば、２個）のボトルを連結可能なボトルネック保持手段が形成されている。図１で示すように、本発明の一例としてのボトルホルダーの展開状
態のブランク板（Ａ）は、側面パネル（１）、天面パネル（２）、側面パネル（３）、底面パネル（４）がそれぞれ第１の折り曲げ線（６）、第２の折り曲げ線（７）、第３の折り曲げ線（８）を介して連接されて設けられている。そして、底面パネル（４）には、第４の折り曲げ線（９）を介して接着片（５）が延設されており、さらに、底面パネル（４）には、ボトルネック挿入部となる２個のボトルのネック部に係合すべく離間するボトルのキャップおよびフランジ部を挿通可能な略円形の開口し得る２個の受持孔（１４）の周縁部には折れ曲げ線（１１）を介して放射状の切り込み線（１２）が設けられて連設されてなる複数個（例えば、４個）の起立可能な舌片（１０）からなる一対の対向する係止片（１３，１３）が設けられている。
【００１４】
図３で示すように、上記の一枚のブランク板（Ａ）の天面パネル（２）、両側面パネル（１，３）、および底面パネル（４）を順次折り曲げ、側面パネル（１）の内面に接着片（５）を差し込み貼着して底面パネルの離間する所定の位置に、ボトルキャップ下部にフランジ部を有するボトルのネック部を保持し得る、複数個（例えば、２個）のボトルを連結可能なボトルネック保持手段が形成されている両端が開口する正四角形柱状のボトルホルダー（Ｄ）（側面パネル（３）の一部を切り欠いてある）が組み立てられる。
【００１５】
図３で示す、上記のボトルホルダー（Ｄ）の底面パネル（２）のボトルネック挿入部となる２個のボトルのネック部に係合すべく離間するボトルのキャップおよびフランジ部を挿通可能な略円形の開口し得る２個の受持孔（１４）にボトルネック部が挿通された後、前記一対の起立可能な複数個（例えば、４個）の舌片（１０）からなる係止片（１３，１３）がボトルのフランジ部の下部に起立して当接し、一方、ボトルキャップ頂部が前記両端が開口する正四角形柱状のボックスの天面パネルに略当接するように係止することでボトルが抜け止めされて保持されるものである。
【００１６】
また、本発明の他の例としてのボトルホルダーを構成するブランク板について説明する。図２で示すように、このブランク板（Ｂ）は、側面パネル（２１）、天面パネル（２２）、側面パネル（２３）、底面パネル（２４）がそれぞれ第１の折り曲げ線（２６）、第２の折り曲げ線（２７）、第３の折り曲げ線（２８）を介して連接されて設けられている。そして、底面パネル（２４）には、第４の折り曲げ線（２９）を介して接着片（２５）が延設されており、さらに、底面パネル（２４）には、ボトルネック挿入部となる２個のボトルのネック部に係合すべく離間する所定の位置に略円形の開口し得る２個のボトルのキャップおよびフランジ部を挿通可能な受持孔（３２）を有し、その受持孔（３２）の周縁部には切り込み線（３１）が設けられて起立可能な一対の係止片（３０，３０）が第３の折り曲げ線（２８）および第４の折り曲げ線（２９）を介して連接されて設けられている。
【００１７】
図４で示すように、上記の一枚のブランク板（Ｂ）の天面パネル（２２）、両側面パネル（２１，２３）、および底面パネル（２４）を順次折り曲げ、側面パネル（１）の内面に接着片（５）を差し込み貼着して底面パネル（２４）の離間する所定の位置に、ボトルキャップ下部にフランジ部を有するボトルのネック部を保持し得る、複数個のボトルを連結可能なボトルネック保持手段が形成されている両端が開口する正四角形柱状のボトルホルダー（Ｅ）（側面パネル（２３）の一部を切り欠いてある）が組み立てられる。
【００１８】
図４で示す、上記のボトルホルダー（Ｅ）の底面パネル（２４）のボトルネック挿入部となる２個のボトルのネック部に係合すべく離間するボトルのキャップおよびフランジ部を挿通可能な略円形の開口し得る２個の受持孔（３２）にボトルネック部が挿通された後、前記一対の起立可能な係止片（３０，３０）がボトルのフランジ部の下部に起立して当接し、一方、ボトルキャップ頂部が前記両端が開口する正四角形柱状のボトルホルダー（Ｅ）の天面パネルに略当接するように係止することでボトルが抜け止めされて保持されるものである。
【００１９】
上記の本発明のボトルホルダー（ＤまたはＥ）に、ペットボトル（４０）を挿通して装着した状態の外観斜視図を図５に示してある。
【００２０】
また、本発明の一例としてのボトルホルダー（Ｄ）にボトルを装着し保持状態を示す側面図を図６（ａ）に示してある。同図（ｂ）は、ボトルホルダーのブランク板（Ａ）の底面パネルに設けられたボトルを挿通する１個の受持孔（１４）部を示したブランク板の一部である。ボトル（４０）のキャップ（６０）およびフランジ部（５０）を挿通可能な略円形の開口し得る受持孔（１４）にボトルネック部が挿通された後、前記一対の起立可能な複数個（例えば、４個）の舌片（１０）からなる係止片（１３，１３）がボトルのフランジ部の下部に起立して当接し、一方、ボトルキャップ頂部が前記両端が開口する正四角形柱状のボトルホルダー（Ｄ）の天面パネル（２）に略当接するように係止することでボトルが抜け止めされて保持されている。
【００２１】
また、本発明の一例としてのボトルホルダー（Ｅ）にボトルを装着し保持状態を示す側面図を図７（ａ）に示してある。同図（ｂ）は、ボトルホルダーのブランク板（Ｂ）の底面パネルに設けられたボトルを挿通する１個の受持孔（２４）部を示したブランク板の一部である。ボトル（４０）のキャップ（６０）およびフランジ部（５０）を挿通可能な略円形の開口し得る受持孔（２４）にボトルネック部が挿通された後、一対の起立可能な複数個係止片（３０，３０）がボトルのフランジ部の下部に起立して当接し、一方、ボトルキャップ頂部が前記両端が開口する正四角形柱状のボトルホルダー（Ｅ）の天面パネル（２）に略当接するように係止することでボトルが抜け止めされて保持されている。
【００２２】
図６、図７で示すように、上記の本発明のボトルホルダーの高さをｈ、ボトルキャップの頂部とボトルのフランジ部間の長さをＬａ、係止片の長さ（高さ）をＬｂで表したとき、下記式（１）を満たすように、ボトルホルダーの高さｈおよび係止片の高さＬｂを適宜設計により設定される。すなわち、一対の起立可能な複数個係止片（１３，１３）、（３０，３０）がボトルのフランジ部（５０）の下部に起立して当接し、一方、ボトルキャップ頂部が前記両端が開口する正四角形柱状のボトルホルダー（Ｄ）、（Ｅ）の天面パネルに略当接するように適宜設計により設定される。
ｈ≦Ｌａ＋Ｌｂ・・・・・（１）
また、図６で示す、本発明のボトルホルダーの受持孔（１４）に連接する係止片（１３）の下端直線長さ（第３の折り曲げ線（８）と第４の折り曲げ線（９）との間隔）をｍ、また、図７で示す、本発明のボトルホルダーの受持孔（３２）に連接する対向する一対の係止片（３０，３０）の下端間の間隔（第３の折り曲げ線（２８）と第４の折り曲げ線（２９）との間隔）をｍ′で表し、ボトルのフランジ部直径をｎで表したとき、下記式（２）を満たすように、ボトルホルダーの係止片の下端直線長さｍ、対向する一対の係止片（の下端間の間隔ｍ′を適宜設計により設定される。
ｍ（またはｍ′）≒ｎ・・・・・・・・・（２）
本発明のボトルホルダーを構成する素材としては、ボトルホルダーとして自立できる剛性を有するものであれば、特に限定されるものではないが、紙基材、プラスチック基材等が好適に用いられる。
【００２３】
本発明におけるボトルホルダーの表面には、例えば、文字、図形、記号、絵柄、模様などの所望の印刷絵柄を通常のインキを使用して、通常の印刷法、例えば、オフセット印刷、グラビア印刷、凸版印刷、シルクスクリーン印刷、転写印刷などにより印刷層やオーバーコート層などをも適宜形成することもできる。
【００２４】
上記で得られる本発明のボトルホルダーは、本発明により、ボトルホルダーの形状を両
端が開口する正四角形柱状としたことで、ボトルを挿通して装着しホルダーとともにボトルを持ち上げ持ち運ぶ際に、左右側面パネルは湾曲される応力が作用しても常に起立状態を維持し折れ曲がらず、また、ボトルのネック部を係止する一対の係止片がボトルのフランジ部の下部に起立して当接し、さらに、ボトル（キャップ）の頂部が天面パネルに略当接する構造であるから、ペットボトル等を複数個連結して保持し、ボトルが抜け落ちることのない、ボトルホルダーを提供できる。
【００２５】
本発明のボトルホルダーは、ボトルの挿通、装着および取り出し作業が容易である。また、天面パネルはボルトネック部と同じ高さであるため全体として嵩高くならず、かつ、例えば、図６、図７で示すように、側面パネルはボトルの本体部の外縁内部に位置づけされるため、ホルダーに商品たるボトルを保持したまま、多数のボトルをコンパクトに梱包することができる。
【００２６】
また、本発明のボトルホルダーは、天面パネル、両側面パネル、および底面パネルから構成される一枚のブランク板を順次折り曲げ、底面パネルに延設されてなる接着片を側面パネルの内面に差し込んで貼り合わせて、持ち運ぶに十分な強度が確保できる簡単な構造であるから、段ボール原紙等のような紙基材を用いる必要がなく、量産性に優れ、コスト削減を図ることができる。
【図面の簡単な説明】
【００２７】
【図１】本発明のボトルホルダーの展開状態のブランク板の一例を示す平面図である。
【図２】本発明のボトルホルダーの展開状態のブランク板の他の例を示す平面図である。
【図３】本発明のボトルホルダーの一例を示す斜視図（側面パネルの一部を切り欠いてある）である。
【図４】本発明のボトルホルダーの他の例を示す斜視図（側面パネルの一部を切り欠いてある）である。
【図５】本発明のボトルホルダーにボトルを装着した状態の一例を示す斜視図である。
【図６】本発明の一例としてのボトルホルダーにボトルを装着した保持状態を示す側面図である。
【図７】本発明の他の例としてのボトルホルダーにボトルを装着した保持状態を示す側面図である。
【図８】従来のボトルキャリア（ボトルホルダー）の一例を示す斜視図である。
【図９】ボトルのネック部へ嵌着した状態の従来のボトルネックラベルの一例を示す斜視図および断面図である。
【符号の説明】
【００２８】
１、３、２１、２３・・・側面パネル
２、２２・・・天面パネル
４、２４・・・底面パネル
５、２５・・・接着片
６、７、８、９、１１、１３、２６、２７、２８、２９・・・折り曲げ線
１０・・・舌片
１２、３１・・・切り込み線
１３、３０・・・支持片
１４、１５・・・受持孔
４０、７７、７７′、８６・・・ボトル
５０・・・フランジ部
６０・・・キャップ
７０・・・品物（ボトル）キャリア
７１、７１′・・・品物支えパネル
７２・・・側壁パネル
７３・・・開口部
７４、７４′・・・持ち上げパネル
７５・・・キャリア耳
７６・・・固定パネル
７８、７８′・・・頂冠
８０・・・ネックラベル
８１、８２・・・面部
８３・・・大径の貫孔
８４・・・舌片
８６Ａ・・・ネック部
Ａ、Ｂ・・・ブランク板
Ｄ、Ｅ・・・ボトルホルダー
ｈ・・・ボトルホルダーの高さ
Ｌａ・・・キャップのフランジ部とボトル（キャップ）頂部との間の長さ
Ｌｂ・・・係止片長さ（高さ）
ｍ・・・図６で示す、係止片の下端直線長さ
ｍ′・・・図７で示す、対向する一対の係止片の下端間の間隔
ｎ・・・ボトルのフランジ部直径
【図１】
2008030820.tif 000003
【図２】
2008030820.tif 000004
【図３】
2008030820.tif 000005
【図４】
2008030820.tif 000006
【図５】
2008030820.tif 000007
【図６】
2008030820.tif 000008
【図７】
2008030820.tif 000009
【図８】
2008030820.tif 000010
【図９】
2008030820.tif 000011